【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  入力信号を特徴付ける特徴量を抽出する参照信号特徴量抽出手段と、
上記入力信号の特徴量を記録する特徴量記録手段と、
上記入力信号に関連する付加情報を記録する付加情報記録手段とを有する
ことを特徴とする信号処理装置。
【請求項２】  上記特徴量は、上記入力信号の振幅であることを特徴とする請求項１記載の信号処理装置。
【請求項３】  上記特徴量は、上記入力信号のスペクトラムであることを特徴とする請求項１記載の信号処理装置。
【請求項４】  上記特徴量は、上記入力信号の線形予測係数であることを特徴とする請求項１記載の信号処理装置。
【請求項５】  上記特徴量は、上記入力信号の所定成分のヒストグラムであることを特徴とする請求項１記載の信号処理装置。
【請求項６】  上記特徴量は、上記入力信号の所定成分の平均値であることを特徴とする請求項１記載の信号処理装置。
【請求項７】  上記特徴量は、上記入力信号の所定成分の差分値であることを特徴とする請求項１記載の信号処理装置。
【請求項８】  上記特徴量は、上記入力信号の状態が変化する変化回数であることを特徴とする請求項１記載の信号処理装置。
【請求項９】  上記特徴量は、上記入力信号の状態が変化する時刻であることを特徴とする請求項１記載の信号処理装置。
【請求項１０】  少なくとも第１の信号の区間とそれ以外の信号の区間とが時分割的に存在する入力信号から上記第１の信号区間を検出する第１の信号区間検出手段と、
上記第１の信号区間の検出結果に基づき、上記入力信号から第１の信号部分を抽出する第１の信号抽出手段と、
上記抽出された第１の信号部分を特徴付ける特量量を抽出する特徴量抽出手段と、
上記抽出された特徴量を、他の信号を特徴付ける特徴量と比較する比較手段とを有することを特徴とする信号処理装置。
【請求項１１】  上記第１の信号区間検出手段は、上記所定の時間間隔を持つ信号の特徴的パターン、及び、上記特徴的パターンを有する信号部分における第１の信号らしさを表わす特徴量に基づき、上記入力信号から第１の信号区間を検出することを特徴とする請求項１０記載の信号処理装置。
【請求項１２】  上記第１の信号区間検出手段は、上記入力信号に対応して作成された所定のガイド情報に基づいて上記第１の信号区間を検出することを特徴とする請求項１０記載の信号処理装置。
【請求項１３】  上記比較手段は、上記第１の信号区間内の信号の振幅、第１の信号区間内の信号のスペクトラム、第１の信号内の信号の線形予測係数、第１の信号区間内の信号の所定成分のヒストグラム、第１の信号区間内の信号の所定成分の平均値、第１の信号区間内の信号の所定成分の差分値、第１の信号区間内の信号の状態が変化する変化回数、第１の信号区間内の信号の状態が変化する時刻の、それぞれ上記第１の信号を特徴付ける特徴量のうち、何れか一つ以上からなるベクトル間の所定の距離尺度に基づく距離によって比較するものであることを特徴とする請求項１０記載の信号処理装置。
【請求項１４】  入力信号の時間、空間、及び／又は、周波数を特定する記述量と、上記入力信号を特定する記述量と、上記入力信号の意味内容を記述する記述量のうち、少なくとも何れか二つ以つからなるデータセットを生成するデータセット生成手段を有し、
上記データセットにより上記入力信号を記述することを特徴とする信号処理装置。
【請求項１５】  上記入力信号の時間、空間、及び／又は、周波数を特定する記述量は、上記入力信号の送信時刻、送信周波数、送信チャンネル番号、送信者名、送信地の情報のうち、何れか一つ以上を含むことを特徴とする請求項１４記載の信号処理装置。
【請求項１６】  上記入力信号を特定する記述量は、上記入力信号の振幅、スペクトラム、線形予測係数、所定成分のヒストグラム、所定成分の平均値、所定成分の差分、信号の状態が変化する回数、信号の状態が変化する時刻の情報のうち、何れか一つ以上を含むことを特徴とする請求項１４記載の信号処理装置。
【請求項１７】  上記入力信号の意味内容を記述する記述量は、上記入力信号の内容を表す名称、上記入力信号を供給する供給者名、上記入力信号の内容に関する詳細情報、上記入力信号の内容に関する情報を取得するための連絡先のうち、何れか一つ以上を含むことを特徴とする請求項１４記載の信号処理装置。
【請求項１８】  入力信号を特徴付ける特徴量を抽出し、
上記入力信号の特徴量を記録し、
上記入力信号に関連する付加情報を記録する
ことを特徴とする信号処理方法。
【請求項１９】  少なくとも第１の信号の区間とそれ以外の信号の区間とが時分割的に存在する入力信号から上記第１の信号区間を検出し、
上記第１の信号区間の検出結果に基づき、上記入力信号から第１の信号部分を抽出し、
上記抽出された第１の信号部分を特徴付ける特量量を抽出し、
上記抽出された特徴量を、他の信号を特徴付ける特徴量と比較する
ことを特徴とする信号処理方法。
【請求項２０】  上記第１の信号区間の検出の際には、上記所定の時間間隔を持つ信号の特徴的パターン、及び、上記特徴的パターンを有する信号部分における第１の信号らしさを表わす特徴量に基づき、上記入力信号から第１の信号区間を検出することを特徴とする請求項１９記載の信号処理方法。
【請求項２１】  上記第１の信号区間の検出の際には、上記入力信号に対応して作成された所定のガイド情報に基づいて上記第１の信号区間を検出することを特徴とする請求項１９記載の信号処理方法。
【請求項２２】  上記第１の信号区間内の信号の振幅、第１の信号区間内の信号のスペクトラム、第１の信号内の信号の線形予測係数、第１の信号区間内の信号の所定成分のヒストグラム、第１の信号区間内の信号の所定成分の平均値、第１の信号区間内の信号の所定成分の差分値、第１の信号区間内の信号の状態が変化する変化回数、第１の信号区間内の信号の状態が変化する時刻の、それぞれ上記第１の信号を特徴付ける特徴量のうち、何れか一つ以上からなるベクトル間の所定の距離尺度に基づく距離によって上記特徴量の比較を行うことを特徴とする請求項１９記載の信号処理方法。
【請求項２３】  入力信号の時間、空間、及び／又は、周波数を特定する記述量と、上記入力信号を特定する記述量と、上記入力信号の意味内容を記述する記述量のうち、少なくとも何れか二つ以つからなるデータセットを生成し、
上記データセットにより上記入力信号を記述することを特徴とする信号処理方法。
【請求項２４】  上記入力信号の時間、空間、及び／又は、周波数を特定する記述量は、上記入力信号の送信時刻、送信周波数、送信チャンネル番号、送信者名、送信地の情報のうち、何れか一つ以上を含むことを特徴とする請求項２３記載の信号処理方法。
【請求項２５】  上記入力信号を特定する記述量は、上記入力信号の振幅、スペクトラム、線形予測係数、所定成分のヒストグラム、所定成分の平均値、所定成分の差分、信号の状態が変化する回数、信号の状態が変化する時刻の情報のうち、何れか一つ以上を含むことを特徴とする請求項２３記載の信号処理方法。
【請求項２６】  上記入力信号の意味内容を記述する記述量は、上記入力信号の内容を表す名称、上記入力信号を供給する供給者名、上記入力信号の内容に関する詳細情報、上記入力信号の内容に関する情報を取得するための連絡先のうち、何れか一つ以上を含むことを特徴とする請求項２３記載の信号処理方法。